(57)【特許請求の範囲】
【請求項１】
遊技に関連して発生する情報を機器の動作で一時的に駆動されるメーク接点と該メーク接点に並列接続された抵抗からなる接点部により外部に出力する遊技用装置の前記接点部及び該接点部に接続される接続ケーブルの状態を監視する状態監視装置であって、
電源に接続された第１のスイッチング素子と前記接点部とを接続ケーブルを介して直列接続し、この直列接続した回路と並列に、第２のスイッチング素子と第１の抵抗との直列回路を接続すると共に、前記接点部の抵抗と第１の抵抗の抵抗値を略同じ値に設定し、
前記第１、第２のスイッチング素子の出力の変化と、該変化の時間を検出することで、前記接点部の状態と接続ケーブルの断線状態を検出する状態検出部を備えていることを特徴とする状態監視装置。
【請求項２】
前記状態検出部は、前記接点部の接点がオープンの場合、第１、第２のスイッチング素子がオンとなり、該接点がクローズの場合、第１のスイッチング素子がオン、第２のスイッチング素子がオフとなってこの状態が第１の時間だけ継続し、前記接続ケーブルが断線の場合、第１のスイッチング素子がオフ、第２のスイッチング素子がオンとなり、この状態が前記第１の時間より長い第２の時間以上継続することを検出して、接点部の接点の開閉状態と、接続ケーブルの断線状態とを区別して検出する機能を備えていることを特徴とする請求項１記載の状態監視装置。
【請求項３】
前記第１、第２のスイッチング素子は、それぞれフォトダイオードとフォトトランジスタを組み合わせて構成すると共に、第１のスイッチング素子を構成する第１のフォトトランジスタと、第２のスイッチング素子を構成する第２のフォトトランジスタとを直列接続したことを特徴とする請求項１記載の状態監視装置。
【請求項４】
前記接点部の抵抗の抵抗値が複数パターンある場合、
前記第１の抵抗を複数個の抵抗で構成し、これらの抵抗の何れか一つを選択して切り換え可能な切り換え手段を備えていることを特徴とする請求項１記載の状態監視装置。
【請求項５】
前記第２のフォトトランジスタのコレクタ、エミッタ間を短絡状態又は開放状態に切り換え可能な切り換え手段を備え、
前記接点部の抵抗の有無に応じて前記切り換え手段を切り換えることにより、接点部の抵抗の有無に依存しない状態検出ができるようにしたことを特徴とする請求項３記載の状態監視装置。
【発明の詳細な説明】
【０００１】
【発明の属する技術分野】
本発明は、遊技に関連して発生する情報を機器の動作で一時的に駆動されるメーク接点と該メーク接点に並列接続された抵抗からなる接点部により外部に出力する遊技用装置の前記接点部及び該接点部に接続される接続ケーブルの状態を監視する状態監視装置に関する。
【０００２】
【従来の技術】
図８は従来例の説明図であり、Ａ図は例１（メーク接点使用）、Ｂ図は例２（ブレーク接点使用）である。以下、図８に基づいて従来例について説明する。
【０００３】
(1) ：例１の説明
従来、遊技機やその周辺装置等（以下、遊技機やその周辺装置等を含めて「遊技機側」と記す）には、各種機器の動作に伴って駆動される接点（通常の機器はメーク接点、すなわち、常開接点が使用されており、この接点の開閉状態等を監視することで、遊技機側の状態（特定の遊戯動作が行なわれた状態、料金が投入された状態など）を監視することが行われていた。
【０００４】
例えば、図８のＡ図に示したように、遊技機側には、接点ＳＷ１が設けてあり、この接点ＳＷ１の開閉状態を監視装置側の状態検出部４で検出することが行われていた。この場合、遊技機側と監視装置側にはそれぞれ２個のコネクタ１が設けてあり、このコネクタ１間を接続ケーブル３で接続し、遊技機側の接点ＳＷ１の両端子を、監視装置側の状態検出部４に接続していた。
【０００５】
前記接点ＳＷ１はメーク接点（常開接点）で構成され、遊技機の特定の遊技動作に伴って一時的に駆動されるものである。このメーク接点（常開接点）ＳＷ１は、通常はオープン（開状態）であり、遊技動作において特定の動作が行われた時に一時的にクローズされ（閉状態、或いはショート状態）、その後、再びオープン（開状態）になるものである。
【０００６】
この場合、状態検出部４ではＳＷ１がオープン（開状態）ならば、機器の状態はＯＦＦで、ＳＷ１がクローズ（閉状態、又はショート状態）ならば、機器の状態はＯＮであると定義して、接点ＳＷ１の開閉状態を検出することにより遊技機側にある機器の状態を検出する。
【０００７】
しかし、例１の構成では、遊技機側の接点にメーク接点を使用しているため、接続ケーブル３の一部が切断或いは断線（以下、これらを含めて「断線」と記す）状態が発生した場合、接点ＳＷ１のオープン（開状態）と接続ケーブル３の断線状態とが区別できなくなり、接続ケーブルの断線状態を検出することはできなかった。その理由を以下に説明する。
【０００８】
(2) ：例１の具体例による説明
図９は、例１の具体的な回路である。監視装置の状態検出部４では、一方のコネクタ１側をホット側とし、他方のコネクタ１側をＳＧ（システムＧＮＤ）側として使用する。そして、電源電圧＝＋Ｖの電源と前記一方のコネクタとの間に、フォトダイオードＰＨ１と抵抗Ｒ２を直列接続すると共に、電源電圧＝＋５Ｖの電源とＧＮＤの間に、抵抗Ｒ３と、前記フォトダイオードＰＨ１からの光を照射されて動作するフォトトランジスタＱ１とを直列接続する。
【０００９】
この回路でメーク接点（常開接点）ＳＷ１の状態を検出するには、次のようにする。メーク接点（常開接点）ＳＷ１は、常時オープン状態であるから、通常はフォトダイオードＰＨ１に電流が流れない。従って、フォトトランジスタＱ１には光が照射されず該フォトトランジスタＱ１はオフ状態であり、バッファ５には、＋５Ｖ電源から抵抗Ｒ３を介してハイレベルＨの信号が入力する。
【００１０】
このような状態から、遊技機の特定の遊技動作により、メーク接点（常開接点）ＳＷ１が一時的にクローズ（閉状態）になると、電源＋Ｖ→フォトダイオードＰＨ１→抵抗Ｒ２→接続ケーブル３→ＳＷ１→接続ケーブル３→ＳＧの経路で電流が流れ、フォトダイオードＰＨ１が発光する。これによりフォトトランジスタＱ１は光が照射されてオンとなり、＋５Ｖ→抵抗Ｒ３→フォトトランジスタＱ１→ＧＮＤの経路で電流が流れる。従って、バッファ５にはローレベルＬ（略ＧＮＤレベル）の信号が入力する。
【００１１】
しかし、接続ケーブル３の一部で断線が発生した場合、メーク接点（常開接点）ＳＷ１がオープン（開状態）であっても、クローズ（閉状態）であっても該接点ＳＷ１には電流が流れない。そのため、フォトダイオードＰＨ１も発光せず、前記の動作はできなくなる。すなわち、遊技機側の接点にメーク接点を使用すると、接点ＳＷ１のオープン（開状態）と接続ケーブル３の断線とを区別できず、例１では、接続ケーブル３の断線状態を検出できない。
【００１２】
(3) ：例２
例２は、図８のＢ図に示したように、前記遊技機側の接点としてブレーク接点ＳＷ２を使用した例であり、他の構成は例１と同じである。この例は、例１において、接続ケーブル３の断線状態が検出できなかった欠点を改善する例であり、接点としてブレーク接点ＳＷ２を使用することで、接続ケーブル３の断線状態を検出できるようにした例である。
【００１３】
図８のＢ図に示したように、遊技機側には、ブレーク接点（常閉接点）ＳＷ２が設けてあり、このブレーク接点ＳＷ２の開閉状態を監視装置の状態検出部４が検出するようになっている。この場合、遊技機側と監視装置側にはそれぞれ、２個のコネクタ１が設けてあり、このコネクタ１間を接続ケーブル３で接続し、遊技機側のブレーク接点ＳＷ２の両端子を、監視装置の状態検出部４に接続していた。
【００１４】
この場合、ブレーク接点ＳＷ２は、遊技機側機器の特定の動作に伴って一時的に駆動されるものであり、通常はクローズ（閉状態）であり、前記特定の動作が行われた時に、一時的にオープン（開状態）となり、その後、再びクローズ（閉状態）となる。
【００１５】
この場合、状態検出部４では、ブレーク接点ＳＷ２の状態を検出することにより、ＳＷ２の状態がオープン（開状態）ならば、機器の状態はＯＮで、ＳＷ２の状態がクローズ（閉状態）ならば、機器の状態はＯＦＦとして定義することで状態検出を行う。
【００１６】
また、ブレーク接点ＳＷ２は、通常時にはクローズ（閉状態）であるから、この接点ＳＷ２を利用して、定常的にカレントループを形成し、その状態を状態検出部４で検出して、接続ケーブル３の断線状態を検出していた。すなわち、状態検出部４から、接続ケーブル３を介してブレーク接点ＳＷ２に電流ｉを流しておき、接続ケーブル３が断線して前記電流ｉが消滅するのを検出することで、接続ケーブル３の断線状態を検出する。
【００１７】
【発明が解決しようとする課題】
前記のような従来のものにおいては、次のような課題があった。
【００１８】
(1) ：前記例１のように、通常の場合、遊技機側の接点はメーク接点（常開接点）を使用するのが一般的であり、このような接点を使用した場合、接続ケーブル３の断線を検出することはできなかった。すなわち、遊技機側の接点状態を監視する監視装置において、その接続ケーブルの断線状態を検出することは安定したシステム稼働を実現するためには必要な機能であるが、前記のようなメーク接点を使用していると断線状態を検出できなかった。
【００１９】
(2) ：前記の断線状態を検出できるようにするため、例２のように、遊技機側の接点をブレーク接点にして、定常的にカレントループを形成し、その状態を監視して、接続ケーブルの断線状態検出機能を実現することも考えられていた。しかし、通常の遊技機等では、メーク接点（常開接点）を使用するのが一般的であり、特殊な装置でしか、その機能を実現できなかった。
【００２０】
本発明はこのような従来の課題を解決し、遊技機側の接点と並列に抵抗を接続した接点部に接続ケーブルを接続し、この接点部との間の接続ケーブルの断線状態を監視しながら接点の開閉状態を検出できるようにすることを目的とする。
【００２１】
【課題を解決するための手段】
本発明は前記の目的を達成するため、次のように構成した。
【００２２】
(1) ：遊技に関連して発生する情報を機器の動作で一時的に駆動されるメーク接点と該メーク接点に並列接続された抵抗からなる接点部により外部に出力する遊技用装置の前記接点部及び該接点部に接続される接続ケーブルの状態を監視する状態監視装置であって、電源に接続された第１のスイッチング素子と前記接点部とを接続ケーブルを介して直列接続し、この直列接続した回路と並列に、第２のスイッチング素子と第１の抵抗との直列回路を接続すると共に、前記接点部の抵抗と第１の抵抗の抵抗値を略同じ値に設定し、前記第１、第２のスイッチング素子の出力の変化と、該変化の時間を検出することで、前記接点部の状態と接続ケーブルの断線状態を検出する状態検出部を備えていることを特徴とする。
【００２３】
(2) ：前記(1) の状態監視装置において、前記状態検出部は、前記接点部の接点がオープンの場合、第１、第２のスイッチング素子がオンとなり、該接点がクローズの場合、第１のスイッチング素子がオン、第２のスイッチング素子がオフとなってこの状態が第１の時間だけ継続し、前記接続ケーブルが断線の場合、第１のスイッチング素子がオフ、第２のスイッチング素子がオンとなり、この状態が前記第１の時間より長い第２の時間以上継続することを検出して、接点部の接点の開閉状態と、接続ケーブルの断線状態とを区別して検出する機能を備えていることを特徴とする。
【００２４】
(3) ：前記(1) の状態監視装置において、前記第１、第２のスイッチング素子は、それぞれフォトダイオードとフォトトランジスタを組み合わせて構成すると共に、第１のスイッチング素子を構成する第１のフォトトランジスタと、第２のスイッチング素子を構成する第２のフォトトランジスタとを直列接続したことを特徴とする。
【００２５】
(4) ：前記(1) の状態監視装置において、前記接点部の抵抗の抵抗値が複数パターンある場合、第１の抵抗を複数個の抵抗で構成し、これらの抵抗の何れか一つを選択して切り換え可能な切り換え手段を備えていることを特徴とする。
【００２６】
(5) ：前記(3) の状態監視装置において、前記第２のフォトトランジスタのコレクタ、エミッタ間を短絡状態又は開放状態に切り換え可能な切り換え手段を備え、前記接点部の抵抗の有無に応じて前記切り換え手段を切り換えることにより、接点部の抵抗の有無に依存しない状態検出ができるようにしたことを特徴とする。
【００２７】
（作用）
前記構成に基づく本発明の作用を、図１に基づいて説明する。
【００２８】
（状態１）：メーク接点（常開接点）ＳＷ１がＯＦＦ（オープン）の時には、該接点ＳＷ１には、電流ｉが流れないため、接続ケーブル３を介して抵抗Ｒに電流ｉが流れる。この場合、抵抗ＲとＲ１の抵抗値が略等しい（Ｒの抵抗値≒Ｒ１の抵抗値）とする。このようにすれば、＋Ｖ電源→抵抗Ｒ２→フォトダイオードＰＨ１→抵抗Ｒ→ＳＧ（ＧＮＤ）の経路で電流が流れると共に、＋Ｖ電源→抵抗Ｒ２→フォトダイオードＰＨ２→抵抗Ｒ１→ＳＧ（ＧＮＤ）の経路で電流が流れる。
【００２９】
従って、フォトダイオードＰＨ１がＯＮ、フォトダイオードＰＨ２がＯＮとなって２つのフォトダイオードが発光する。そのため、フォトトランジスタＱ１がＯＮ、フォトトランジスタＱ２がＯＮとなり、状態検出回路にはローレベルＬの信号が入力される。
【００３０】
（状態２）：メーク接点（常開接点）ＳＷ１がＯＮとなり、ショート状態になる。このため、抵抗Ｒには電流が流れず、ＳＷ１を介してのみ電流が流れる。この時、＋Ｖ電源→抵抗Ｒ２→フォトダイオードＰＨ１→ショート状態のＳＷ１→ＳＧ（ＧＮＤ）の経路で電流が流れると共に、＋Ｖ電源→抵抗Ｒ２→フォトダイオードＰＨ２→抵抗Ｒ１→ＳＧ（ＧＮＤ）の経路で電流が流れるが、この抵抗Ｒ１側の電流は極めて小さい。
【００３１】
従って、フォトダイオードＰＨ１がＯＮ、フォトダイオードＰＨ２がＯＦＦとなってフォトダイオードＰＨ１のみが発光する。そのため、フォトトランジスタＱ１がＯＮ、フォトトランジスタＱ２がＯＦＦとなり、状態検出回路にはハイレベルＨの信号が入力され、状態検出部側はこの状態が短時間継続する（ＳＷ１が一時的にＯＮとなるため）のを検出する。
【００３２】
（状態３）：接続ケーブル３が断線状態になると、接点ＳＷ１の開閉動作に関係なく、接点部（ＳＷ１，抵抗Ｒ）には電流が流れない。従って、フォトダイオードＰＨ１には電流が流れず、フォトダイオードＰＨ１の状態はＯＦＦである。また、＋Ｖ電源→抵抗Ｒ２→フォトダイオードＰＨ２→抵抗Ｒ１→ＳＧ（ＧＮＤ）の経路で電流が流れ、フォトダイオードＰＨ１がＯＮとなり、この状態が長時間継続する。
【００３３】
この場合、状態検出回路には、断線が発生するまではローレベルＬが出力され、断線発生と同時にハイレベルＨとなり、断線が解消するまでこの状態が長時間継続する。以上の状態１、状態２、状態３の変化と、その継続時間を検出することにより、接点部にメーク接点（常開接点）を使用しても、該接点開閉状態や接続ケーブル３の断線状態を検出することができる。
【００３４】
この場合、前記(1) では、状態検出部は、電源に接続された第１のスイッチング素子と接点部とを接続ケーブル３を介して直列接続し、この直列接続した回路と並列に、第２のスイッチング素子と第１の抵抗Ｒ１との直列回路を接続すると共に、接点部の抵抗Ｒと第１の抵抗Ｒ１の抵抗値を略同じ値に設定し、第１、第２のスイッチング素子の出力の変化と、該変化の時間を検出することにより、前記接点部の状態と接続ケーブル３の断線状態を検出する。このようにすれば、遊技機側の機器にメーク接点（常開接点）を使用した場合でも、接点部の状態だけでなく、接続ケーブル３の断線状態も確実に検出することができる。
【００３５】
前記(2) では、状態検出部４は、接点部のメーク接点（常開接点）ＳＷ１がオープンの場合、第１、第２のスイッチング素子がオンとなり、該接点ＳＷ１がクローズの場合、第１のスイッチング素子がオン、第２のスイッチング素子がオフとなってこの状態が第１の時間だけ継続し、接続ケーブル３が断線の場合、第１のスイッチング素子がオフ、第２のスイッチング素子がオンとなり、この状態が前記第１の時間より長い第２の時間以上継続することを検出して、接点部の接点ＳＷ１の開閉状態と、接続ケーブル３の断線状態とを区別して検出する。
【００３６】
このようにして、遊技機側の機器にメーク接点（常開接点）を使用した場合でも、メーク接点（常開接点）ＳＷ１の開閉状態と接続ケーブル３の断線状態とを区別して確実に検出することができる。すなわち、断線検出機能付きのデータ（ＳＷ１の開閉状態のデータ）検出機能を実現することができる。
【００３７】
前記(3) では、前記第１、第２のスイッチング素子は、それぞれフォトダイオードとフォトトランジスタを組み合わせて構成すると共に、第１のスイッチング素子を構成する第１のフォトトランジスタと、第２のスイッチング素子を構成する第２のフォトトランジスタとを直列接続している。
【００３８】
このようにすれば、簡単な回路で、接点の状態と接続ケーブル３の状態を確実に検出することができる。すなわち、簡単な回路で、遊技機側に接点と並列に抵抗Ｒを接続した接点部との間の接続ケーブル３の断線状態を監視しながら、メーク接点（常開接点）の開閉状態を確実に検出することができる。
【００３９】
前記(4) では、接点部の抵抗Ｒの抵抗値が複数パターンある場合、切り換え手段により、複数個の抵抗の何れか一つを選択して切り換えることにより、どの抵抗値の場合でも、簡単な操作で十分対応することができる。
【００４０】
前記(5) では、切り換え手段により、第２のフォトトランジスタＱ１のコレクタ、エミッタ間を短絡状態又は開放状態に切り換えることにより、接点部の抵抗Ｒの有無に依存しない状態検出が簡単に実現できる。
【００４１】
【発明の実施の形態】
以下、本発明の実施の形態を図面に基づいて詳細に説明する。
【００４２】
§１：例１の説明
(1) ：システム構成の説明
図２は例１の説明図であり、Ａ図は例１の構成図、Ｂ図は状態検出の説明図である。例１では、図２のＡ図に示したように、遊技機側（遊技機、及びその周辺装置を含む）には、機器の動作に伴って開閉される接点ＳＷ１と、該接点ＳＷ１と並列接続した抵抗（検出用の抵抗）Ｒとが２つのコネクタ１に接続されている。この場合、接点ＳＷ１はメーク接点（常開接点）であり、該メーク接点ＳＷ１と並列に状態検出用の抵抗Ｒが接続され、接点部を構成している。
【００４３】
また、監視装置側には状態検出部４が設けてあり、この状態検出部４には、コネクタ１及び接続ケーブル３を介して、遊技機側のコネクタ１に接続された前記接点部が接続されている。このような構成により、監視装置において遊技機側の接点状態及び接続ケーブル３の断線状態を区別して検出することができる。
【００４４】
(2) ：状態検出の基本的な説明
前記接点ＳＷ１の開閉状態と接続ケーブル３の断線状態の検出は、基本的には図２のＢ図に示すようにして実現する。先ず、図２のＢ図に示した状態１のように、接続ケーブル３が正常な状態で、メーク接点ＳＷ１がＯＦＦ（オープン）の状態では、接続ケーブル３から遊技機側へ流入した電流ｉは、接点ＳＷ１がＯＦＦ（オープン）のため、抵抗Ｒを介して流れる（この状態を「状態１」とする）。
【００４５】
また、状態２のように、接続ケーブル３が正常な状態で、接点ＳＷ１がＯＮ（メーク）すると、メークした接点ＳＷ１は略ショート状態となるため、抵抗Ｒには殆ど電流が流れず、ショート状態の接点ＳＷ１を介して電流ｉが流れる（この状態を「状態２」とする）。
【００４６】
更に、接続ケーブル３の一部（例えば、図示の×印の部分）で断線が発生したとする。この時、接点ＳＷ１の開閉状態とは関係なく、断線した部分により電流ｉは流れなくなる。すなわち、接続ケーブル３から遊技機側へ流入しようとする電流ｉはｉ＝Ｏとなる（この状態を「状態３」とする）。
【００４７】
以上のように、状態１、状態２、状態３で電流ｉの値（状態１＝小電流、状態２＝大電流、状態３＝電流ｉ＝０）が異なる。そのため、各状態での電流ｉの値や状態の継続時間の大小等を検出すれば、基本的には前記状態１〜３を区別して検出することが可能になる（詳細は後述する）。
【００４８】
(3) ：具体的な回路構成の説明
図３は例１の具体的な回路、図４は状態検出部の詳細図である。以下、図３、４に基づいて具体的な回路構成を説明する。図３に示したように、遊技機側には、機器の動作に伴って一時的に開閉される接点ＳＷ１に抵抗（検出用の抵抗）Ｒを並列接続した接点部が設けてあり、この接点部は、接続ケーブル３、コネクタ１を介して監視装置の状態検出部４に接続されている。
【００４９】
そして、状態検出部４には、抵抗Ｒ１、Ｒ２、Ｒ３、フォトダイオードＰＨ１、ＰＨ２、フォトトランジスタＱ１、Ｑ２、バッファ５等が設けてある。この場合、＋Ｖ電源とＳＧ（システムＧＮＤ）との間には、抵抗Ｒ２と、フォトトランジスタＱ２へ光を照射するためのフォトダイオードＰＨ２と、抵抗Ｒ１が直列に接続され、＋５Ｖ電源とＧＮＤとの間には、抵抗Ｒ３と、フォトトランジスタＱ１と、フォトトランジスタＱ２とが直列に接続されている。
【００５０】
更に、フォトトランジスタＱ１のコレクタには、バッファ５が接続されると共に、前記抵抗Ｒ２とコネクタ１との間には、前記フォトトランジスタＱ１へ光を照射するためフォトダイオードＰＨ１が接続されている。なお、前記フォトダイオードＰＨ１とフォトトランジスタＱ１の組と、フォトダイオードＰＨ１とフォトトランジスタＱ２の組は、一組のスイッチング素子（フォトカプラ）として機能している。
【００５１】
また、前記バッファ５の後段回路は図４に示されている。図４に示したように、前記バッファ５の後段には、カウンタ７と、コンパレータ８と、オン／オフ検出部９と、判定部１０等が接続されている。バッファ５は、図３に示したフォトトランジスタＱ１、Ｑ２の出力側から得られた信号（前記状態１、状態２、状態３を示す信号）を一旦格納しておくものであり、カウンタ７はバッファ５から出力される信号を入力（イネーブル端子ＥＮに入力）し、外部からのクロック（ＣＬＫ）をカウントするものである。なお、ＲＳＴはリセット端子である。
【００５２】
コンパレータ８は、カウンタ７の出力を、外部から入力した基準値（例えば、Ｎ個の基準パルス）と比較するものである。オン／オフ検出部９はバッファ５から出力される信号を入力しオン／オフ状態を検出するものである。判定部１０は、コンパレータ８の出力と、オン／オフ検出部９の出力とを入力して、接点部の状態と接続ケーブル３の断線状態を判定するものである。
【００５３】
なお、前記バッファ５から出力される信号は、図４の▲１▼、▲２▼、▲３▼に示すようにローレベルＬとハイレベルＨとの間で変化する信号である。また、オン／オフ検出部９での動作は▲４▼に示すように行われ、カウンタ７での計数動作は、図４の▲５▼に示すように行われる。すなわち、図４に示したバッファ出力側の状態は、▲１▼が遊技機側機器の接点がＯＦＦの場合、▲２▼が前記接点がＯＮの場合、▲３▼が接続ケーブル３が断線の場合を示す。また、バッファの後段回路の状態は、▲４▼がオン／オフ検出部９の出力、▲５▼がカウンタ７の状態を示す。
【００５４】
図４の回路では、カウンタ７にはバッファ５の出力がリセット端子ＲＳＴとイネーブル端子ＥＮに入力しており、バッファ５の出力がローレベルＬの時リセットされカウント動作をしない。
【００５５】
しかし、バッファ５の出力がハイレベルＨからローレベルＬに変化すると、カンウンタ７のリセットが解除され、イネーブル端子ＥＮにハイレベルＨが入力している間（ハイレベルＨから次にローレベルＬに変化するまでの間）クロックＣＬＫのカウントを続け、そのカウント値をコンパレータ８へ出力する。
【００５６】
コンパレータ８では、カウンタ７の出力を、基準値（Ｎパルス）と比較し、その結果を判定部１０へ出力する。オン／オフ検出部９は、バッファ５の出力を基に、オン／オフ状態（出力がＬとＨとの間で変化する▲４▼の状態）を検出し、判定部１０へ出力する。
【００５７】
判定部１０は、オン／オフ検出部９からオンになったタイミングを検出し、その後、コンパレータ８からＮパルス以上の計数が行われたことを検出したら、断線状態であると判定し、例えば、フラグ１を立てる（通常はフラグ０）。このようにすれば、前記状態１、状態２、状態３を区別して検出することができる。
【００５８】
(4) ：状態検出機能の説明
図５は状態検出機能の説明図であり、Ａ図は接点部の状態変化と回路状態の説明図、Ｂ図は接点部側と状態検出部側の状態変化の説明図である。なお、図５のＡ図は、状態１、状態２、状態３における各部の電流等の変化を考慮して、等価回路として示したものである。以下、状態検出機能について説明する。
【００５９】
前記状態１では、接点部の接点ＳＷ１がＯＦＦ（オープン）の時には、該接点ＳＷ１には電流ｉが流れないため、接続ケーブル３を介して抵抗Ｒに電流ｉが流れる。この場合、抵抗ＲとＲ１の抵抗値が略等しい（Ｒの抵抗値≒Ｒ１の抵抗値）とする。
【００６０】
このようにすれば、状態１では、＋Ｖ電源（電圧が＋Ｖの電源）→抵抗Ｒ２→フォトダイオードＰＨ１→抵抗Ｒ→ＳＧ（ＧＮＤ）の経路で電流が流れると共に、＋Ｖ電源→抵抗Ｒ２→フォトダイオードＰＨ２→抵抗Ｒ１→ＳＧ（ＧＮＤ）の経路で電流が流れる。
【００６１】
従って、フォトダイオードＰＨ１がＯＮ、フォトダイオードＰＨ２がＯＮとなって２つのフォトダイオードが発光する。そのため、フォトトランジスタＱ１がＯＮ、フォトトランジスタＱ２がＯＮとなり、バッファ５にはローレベルＬの信号が入力され、状態検出部側はＯＮ状態になったことを検出する。なお、状態１では接続ケーブル３は断線が発生していないものとする。この場合、バッファ５の出力側状態は、図４の▲１▼のようになる。
【００６２】
次に、前記状態２では、メーク接点（常開接点）ＳＷ１はＯＮとなり、ショート状態となる。このため、抵抗Ｒには電流が流れず、ＳＷ１を介してのみ電流が流れる。この時、＋Ｖ電源→抵抗Ｒ２→フォトダイオードＰＨ１→ショート状態のＳＷ１→ＳＧ（ＧＮＤ）の経路で電流が流れる。また、＋Ｖ電源→抵抗Ｒ２→フォトダイオードＰＨ２→抵抗Ｒ１→ＳＧ（ＧＮＤ）の経路で電流が流れるが、この経路に流れる電流は抵抗Ｒ１があるため極めて小さい（殆ど流れない）。
【００６３】
従って、フォトダイオードＰＨ１がＯＮ、フォトダイオードＰＨ２がＯＦＦとなってフォトダイオードＰＨ１のみが発光する。そのため、フォトトランジスタＱ１がＯＮ、フォトトランジスタＱ２がＯＦＦとなり、バッファ５にはハイレベルＨの信号が入力され、状態検出部側はこの状態が短時間継続する（ＳＷ１が短時間だけＯＮとなるため）のを検出する。
【００６４】
なお、状態２でも接続ケーブル３は断線が発生していないものとする。この場合のバッファ５の出力側の状態は、図４の▲２▼のようになる。図４の▲２▼において、ハイレベルＨの継続時間は、メーク接点（常開接点）ＳＷ１がクローズしている時間であり、数１０ｍｓ〜数１００ｍｓ程度である。
【００６５】
更に、前記状態３では、接続ケーブル３が断線状態のため、接点ＳＷ１の開閉動作に関係なく、該接点ＳＷ１側には電流が流れない。従って、フォトダイオードＰＨ１には電流が流れず、フォトダイオードＰＨ１の状態はＯＦＦである。また、＋Ｖ電源→抵抗Ｒ２→フォトダイオードＰＨ２→抵抗Ｒ１→ＳＧ（ＧＮＤ）の経路で電流が流れ、フォトダイオードＰＨ１がＯＮとなり、この状態が長時間継続（断線状態が解消するまで継続）する。
【００６６】
従って、この場合、バッファ５の出力側の状態は、図４の▲３▼のように、断線が発生するまではローレベルＬが出力され、断線発生と同時にハイレベルＨとなり、断線が解消するまで（例えば、数秒〜数分、或いはそれ以上の間）継続する。以上の状態変化を状態検出部４が検出して、接点部の状態や接続ケーブル３の断線状態等を検出することができる。
【００６７】
前記状態１、状態２、状態３は次のようにして検出する。先ず、状態１では、バッファ５の出力は図４の▲１▼のようにローレベルＬの出力となるから、カウンタ７はカウント動作を開始せず、コンパレータ８の比較動作も行われない。そして、オン／オフ検出部９ではローレベルＬが入力するので、そのままローレベルＬを出力する。そのため、判定部１０では、ローレベルＬが入力するので、装置側状態がＯＮ状態であると判定する。
【００６８】
状態２では、バッファ５の出力状態が図４の▲２▼のようになる。そのため、オン／オフ検出部９では、バッファ５の出力がローレベルＬからハイレベルＨに変化したことを検出し、その信号を判定部１０へ送る。
【００６９】
一方、カウンタ７では、前記バッファ５の出力がローレベルＬからハイレベルＨに変化すると、この信号はイネーブル端子ＥＮに入力され、クロックＣＬＫのカウントを開始し、バッファ５の出力がハイレベルＨからローレベルＬに変化するとその計数動作をリセットする。その時のカウント値はコンパレータ８へ出力される。
【００７０】
コンパレータ８では、カウンタ７の出力を入力し、外部からの基準値（Ｎパルス）と比較し、比較結果を判定部１０へ出力する。なお、状態２では、カウンタ７はＮパルスより少ない数をカウントし、コンパレータ８では、カウンタ出力がＮパルスに満たないことを示す信号（ローレベルＬの信号）を判定部１０へ出力する。判定部１０では、オン／オフ検出部９からの信号とコンパレータ８からの信号を入力して判定を行う。この場合は、装置側状態がＯＦＦで、継続時間が短い（Ｎパルス未満）と判定する。
【００７１】
状態３では、バッファ５の出力状態が図４の▲３▼のようになる。そのため、オン／オフ検出部９では、バッファ５の出力がローレベルＬからハイレベルＨに変化する点を検出して判定部１０へ送る。
【００７２】
一方、カウンタ７では、前記バッファ５の出力がローレベルＬからハイレベルＨに変化してから、クロックのカウントを開始し、そのカウント値をコンパレータ８へ出力する。コンパレータ８では、カウンタ７の出力を外部からの基準値（Ｎパルス）と比較し、比較結果を判定部１０へ出力する。
【００７３】
この場合、カウンタ７はＮパルスより多い数をカウントし、コンパレータ８では、カウンタ出力がＮパルスを超えたことを検出して、その結果を判定部１０へ出力する。判定部１０では、装置側状態がＯＦＦで、継続時間が長い（Ｎパルス以上）と判定する。
【００７４】
§２：例２の説明
(1) ：システム構成の説明
図６は例２の説明図である。例２では、図６に示したように、遊技機側の接点部に設けた抵抗Ｒとして、例えば、その抵抗値がＲ＝ＸＫΩ、Ｒ＝ＹＫΩ、Ｒ＝ＺＫΩ（Ｘ、Ｙ、Ｚは異なる値であるとする）のように、複数パターンある場合の例である。
【００７５】
この例では、前記複数パターンの抵抗値の全てに対応可能にするため、前記複数の抵抗値に対応して、監視装置内の状態検出部４には、前記例１の抵抗Ｒ１を、抵抗値の異なる複数個の抵抗ＲＸ、ＲＹ、ＲＺで構成し、これらの抵抗を切り換えるために、切り換え機能を有するスイッチ１２を設ける。この場合、抵抗値は、ＲＸの抵抗値≒Ｘ（ＫΩ）、ＲＹの抵抗値≒Ｙ（ＫΩ）、ＲＺの抵抗値≒Ｚ（ＫΩ）のように設定しておく。
【００７６】
このようにすれば、例えば、抵抗Ｒの抵抗値がＸ（ＫΩ）の場合、スイッチ１２で抵抗ＲＸに切り換えておけば、例１と同様にして状態検出を行うことができる。また、抵抗Ｒの抵抗値がＹ（ＫΩ）の場合、スイッチ１２で抵抗ＲＹに切り換えておけば、例１と同様にして状態検出を行うことができる。更に、抵抗Ｒの抵抗値がＺ（ＫΩ）の場合、スイッチ１２で抵抗ＲＺに切り換えておけば、例１と同様にして状態検出を行うことができる。なお、他の構成は例１と同じなので詳細な説明は省略する。
【００７７】
§３：例３の説明
(1) ：システム構成の説明
図７は例３の説明図である。例３では、図７に示したように、遊技機側の接点部に前記抵抗Ｒを設けない（Ｒ無し）場合の例である。この場合、監視装置内の状態検出部４は例１と同じ構成にした上で、更に、フォトトランジスタＱ２のエミッタ−コレクタ間に、手動操作、或いは電磁的な制御等により開閉できるスイッチ（又はリレーの接点）１３を設けておく。
【００７８】
そして、スイッチ１３をオープン（開状態）にすれば、状態検出部４は例１と同じ構成になるから、例１の状態検出ができ、スイッチ１３をクローズ（閉状態）にすれば、抵抗Ｒ無しの状態での状態検出ができる。すなわち、スイッチ１３をクローズ（閉状態）にすれば、フォトトランジスタＱ２のコレクタ−エミッタ間がショートされるから、該フォトトランジスタＱ２は接続していない状態と同じである。
【００７９】
このようにすれば、メーク接点（常開接点）ＳＷ１がオープン（開状態）の場合、接点ＳＷ１には電流が流れないから、＋Ｖ電源→抵抗Ｒ２→フォトダイオードＰＨ２→抵抗Ｒ１→ＳＧ（ＧＮＤ）の経路で電流が流れるが、フォトダイオードＰＨ１には電流が流れない。この時、フォトトランジスタＱ１はオフで、フォトトランジスタＱ２はショート状態であるからバッファ５にはハイレベルＨの信号が入力する。
【００８０】
また、接点ＳＷ１がクローズ（閉状態）の場合は、＋Ｖ電源→抵抗Ｒ２→フォトダイオードＰＨ１→ＳＷ１→ＳＧの経路で電流が流れると共に、＋Ｖ電源→抵抗Ｒ２→フォトダイオードＰＨ２→抵抗Ｒ１→ＳＧ（ＧＮＤ）の経路で電流が流れる。
【００８１】
従って、フォトダイオードＰＨ１がＯＮとなって発光するが、フォトダイオードＰＨ２はＯＦＦであり、発光しない。そのため、フォトトランジスタＱ１がＯＮとなり、＋５Ｖ電源→抵抗Ｒ３→フォトトランジスタＱ１→ショート状態のスイッチ１３→ＧＮＤの経路で電流が流れる。そのため、バッファ５にはローレベルＬの信号が入力する。
【００８２】
このようにして、接点部に抵抗がない場合でも、状態検出が可能になる。但し、メーク接点の場合において断線検出はできない。従って、スイッチ１３の操作により、接点部に抵抗が有っても（スイッチ１３：オープン）、無くても（スイッチ１３：クローズ）使用可能である。
【００８３】
【発明の効果】
以上説明したように、本発明によれば次のような効果がある。
【００８４】
(1) ：請求項１では、状態検出部は、電源に接続された第１のスイッチング素子と接点部とを接続ケーブルを介して直列接続し、この直列接続した回路と並列に、第２のスイッチング素子と第１の抵抗との直列回路を接続すると共に、接点部の抵抗Ｒと第１の抵抗の抵抗値を略同じ値に設定し、第１、第２のスイッチング素子の出力の変化と、該変化の時間を検出することにより、前記接点部の状態と接続ケーブルの断線状態を検出する。
【００８５】
このようにすれば、遊技機側の機器にメーク接点（常開接点）を使用した場合でも、接点部の状態だけでなく、接続ケーブル３の断線状態も確実に検出することができる。
【００８６】
(2) ：請求項２では、状態検出部は、接点部のメーク接点（常開接点）がオープンの場合、第１、第２のスイッチング素子がオンとなり、該メーク接点（常開接点）がクローズの場合、第１のスイッチング素子がオン、第２のスイッチング素子がオフとなってこの状態が第１の時間だけ継続し、接続ケーブルが断線の場合、第１のスイッチング素子がオフ、第２のスイッチング素子がオンとなり、この状態が前記第１の時間より長い第２の時間以上継続することを検出して、接点部の接点の開閉状態と、接続ケーブルの断線状態とを区別して検出する。
【００８７】
このようにして、遊技機側の機器にメーク接点（常開接点）を使用した場合でも、メーク接点（常開接点）の開閉状態と接続ケーブルの断線状態とを区別して確実に検出することができる。すなわち、断線検出機能付きのデータ検出機能を実現することができる。
【００８８】
(3) ：請求項３では、第１、第２のスイッチング素子は、それぞれフォトダイオードとフォトトランジスタを組み合わせて構成すると共に、第１のスイッチング素子を構成する第１のフォトトランジスタと、第２のスイッチング素子を構成する第２のフォトトランジスタとを直列接続している。
【００８９】
このようにすれば、簡単な回路で、接点の状態と接続ケーブルの状態を確実に検出することができる。すなわち、簡単な回路で、遊技機側に接点と並列に抵抗を接続した接点部との間の接続ケーブルの断線状態を監視しながら、接点の開閉状態を確実に検出することができる。また、フォトダイオードとフォトトランジスタとの組み合わせを使用することで、遊技機側の接点部と状態検出部側との絶縁が確実にできる。
【００９０】
(4) ：請求項４では、接点部の抵抗の抵抗値が複数パターンある場合、切り換え手段により、複数個の抵抗の何れか一つを選択して切り換えることにより、どの抵抗値の場合でも、簡単な操作で十分対応することができる。
【００９１】
(5) ：請求項５では、切り換え手段により、第２のフォトトランジスタのコレクタ、エミッタ間を短絡状態又は開放状態に切り換えることにより、接点部の抵抗の有無に依存しない状態検出が簡単に実現できる。
【図面の簡単な説明】
【図１】本発明の原理説明図である。
【図２】本発明の実施の形態における例１の説明図であり、Ａ図は例１の構成図、Ｂ図は状態検出の説明図である。
【図３】本発明の実施の形態における例１の具体的な回路である。
【図４】本発明の実施の形態における状態検出部の詳細図である。
【図５】本発明の実施の形態における状態検出機能の説明図であり、Ａ図は接点部と状態変化と回路状態の説明図、Ｂ図は接点部側と状態検出部側の状態変化の説明図である。
【図６】本発明の実施の形態における例２の説明図である。
【図７】本発明の実施の形態における例３の説明図である。
【図８】従来例の説明図であり、Ａ図は例１（メーク接点使用）、Ｂ図は例２（ブレーク接点使用）である。
【図９】従来例の具体的な回路である。
【符号の説明】
１  コネクタ
３  接続ケーブル
４  状態検出部
５  バッファ
７  カウンタ
８  コンパレータ
９  オン／オフ検出部
１０  判定部
１２、１３  スイッチ
【図１】
0003836669.tif 000002
【図２】
0003836669.tif 000003
【図３】
0003836669.tif 000004
【図４】
0003836669.tif 000005
【図５】
0003836669.tif 000006
【図６】
0003836669.tif 000007
【図７】
0003836669.tif 000008
【図８】
0003836669.tif 000009
【図９】
0003836669.tif 000010